【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
自動取引装置の取引内容を示す情報と取引に使用されたカードのイメージデータを含むジャーナルデータを記憶した記憶装置と、
この記憶装置からジャーナルデータを読み出して、表示装置もしくは印刷装置に表示出力する制御を行う読み出し制御手段を備え、
上記ジャーナルデータは、個人情報としてのセキュリティレベルを基準にして複数の領域に区分され、上記領域毎にそれぞれ、別々の認証データを使用して該当領域を参照することができるように閲覧制限処理されており、
上記読み出し制御手段は、認証データが入力されたとき、該当する領域のみを表示出力するように制御することを特徴とする自動取引装置の管理システム。
【請求項２】
上記閲覧制限処理されたジャーナルデータを生成するジャーナルデータ生成手段と、上記カードがクレジットカードかどうかを判別するクレジットカード判別手段を備えており、  クレジットカード判別手段が上記カードをクレジットカードと判定したとき、そのカードを読み取って取得したデータは他の種類のカードを読み取って取得したデータよりも高いセキュリティレベルの領域に含めて閲覧制限処理することを特徴とする請求項１または２に記載の自動取引装置の管理システム。
【請求項３】
上記読み出し制御手段は、
参照する担当者の識別コードと上記ジャーナルデータの参照目的と参照範囲とその参照要求が入力された日時と
を含む読み出し記録データを記憶装置に記憶させて、上記認証データが入力されたとき、該当する参照範囲のデータを、上記ジャーナルデータから自動的に読み出して表示出力することを特徴とする請求項１または２に記載の自動取引装置の管理システム。
【請求項４】
上記読み出し制御手段は、
参照する担当者の識別コードと認証データと参照目的とが入力されたとき、その参照目的に対応する参照範囲のデータのみを、上記ジャーナルデータから自動的に読み出して表示出力することを特徴とする請求項１または２に記載の自動取引装置の管理システム。
【請求項５】
上記読み出し制御手段は、
上記担当者の識別コードと認証データとの関係にかかわりなく、限定された参照目的に合致した場合には、必要な範囲のデータを表示出力することを特徴とする請求項３または４に記載の自動取引装置の管理システム。
【請求項６】
参照する担当者の識別コードと上記ジャーナルデータの参照範囲とが読み出し制御手段に入力されたときに、読み出し制御手段に起動を保留させて、自動取引装置を遠隔監視している監視オペレータ用の端末装置から送信された起動許可コマンドとが、起動を保留している読み出し制御手段に入力されたとき、上記読み出し制御手段が、上記ジャーナルデータを読み出して表示出力することを特徴とする、請求項３または４に記載の自動取引装置の管理システム。
【請求項７】
参照する担当者の識別コードと上記閲覧目的とが読み出し制御手段に入力されたときに、読み出し制御手段に起動を保留させて、自動取引装置を遠隔監視している監視オペレータ用の端末装置から送信された起動許可コマンドとが、起動を保留している読み出し制御手段に入力されたとき、上記読み出し制御手段が、上記ジャーナルデータを読み出して表示出力することを特徴とする、請求項３または４に記載の自動取引装置の管理システム。
【請求項８】
参照する担当者の認証データと、監視オペレータ用の端末装置から送信された起動許可コマンドとが、起動を保留している読み出し制御手段に入力されたとき、上記読み出し制御手段が起動することを特徴とする請求項３または４に記載の自動取引装置の管理システム。
【請求項９】
参照する担当者と起動許可コマンド送信を担当した監視オペレータの両者を示す情報と、閲覧要求が入力された日時を含む読み出し記録データが生成されることを特徴とする請求項６乃至８のいずれかに記載の自動取引装置の管理システム。
【請求項１０】
監視オペレータが担当者を指名するためのものとして、監視オペレータの端末装置側の記憶装置に対して、担当者の識別コードと閲覧可能な範囲を対応させたデータと、閲覧目的と閲覧範囲を対応させた目的限定データとを記憶させておくことを特徴とする請求項１乃至９のいずれかに記載の自動取引装置の管理システム。
【請求項１１】
上記取引に使用されたカードの種別を判定する手段と、このカードを読み取ったイメージデータ中の、秘密にすべき部分をマスクして表示装置に表示する手段を備えたことを特徴とする請求項１乃至１０のいずれかに記載の自動取引装置の管理システム。
【請求項１２】
コンピュータを、請求項１乃至１１のいずれかに記載の手段として機能させるコンピュータプログラム。
【請求項１３】
請求項１２に記載のコンピュータプログラムを記録したコンピュータで読み取り可能な記録媒体
【手続補正２】
【補正対象書類名】明細書
【補正対象項目名】０００８
【補正方法】変更
【補正の内容】
【０００８】
＜構成３＞
上記読み出し制御手段は、
参照する担当者の識別コードと上記ジャーナルデータの参照目的と参照範囲とその参照要求が入力された日時と
を含む読み出し記録データを記憶装置に記憶させて、上記認証データが入力されたとき、該当する参照範囲のデータを、上記ジャーナルデータから自動的に読み出して表示出力することを特徴とする構成１または２に記載の自動取引装置の管理システム。
【手続補正３】
【補正対象書類名】明細書
【補正対象項目名】００１１
【補正方法】変更
【補正の内容】
【００１１】
＜構成６＞
参照する担当者の識別コードと上記ジャーナルデータの参照範囲とが読み出し制御手段に入力されたときに、読み出し制御手段に起動を保留させて、自動取引装置を遠隔監視している監視オペレータ用の端末装置から送信された起動許可コマンドとが、起動を保留している読み出し制御手段に入力されたとき、上記読み出し制御手段が、上記ジャーナルデータを読み出して表示出力することを特徴とする、構成３または４に記載の自動取引装置の管理システム。
【手続補正４】
【補正対象書類名】明細書
【補正対象項目名】００１２
【補正方法】変更
【補正の内容】
【００１２】
＜構成７＞
参照する担当者の識別コードと上記閲覧目的とが読み出し制御手段に入力されたときに、読み出し制御手段に起動を保留させて、自動取引装置を遠隔監視している監視オペレータ用の端末装置から送信された起動許可コマンドとが、起動を保留している読み出し制御手段に入力されたとき、上記読み出し制御手段が、上記ジャーナルデータを読み出して表示出力することを特徴とする、構成３または４に記載の自動取引装置の管理システム。
＜構成８＞
参照する担当者の認証データと、監視オペレータ用の端末装置から送信された起動許可コマンドとが、起動を保留している読み出し制御手段に入力されたとき、上記読み出し制御手段が起動することを特徴とする構成３または４に記載の自動取引装置の管理システム。
＜構成９＞
参照する担当者と起動許可コマンド送信を担当した監視オペレータの両者を示す情報と、閲覧要求が入力された日時を含む読み出し記録データが生成されることを特徴とする構成６乃至８のいずれかに記載の自動取引装置の管理システム。
＜構成１０＞
監視オペレータが担当者を指名するためのものとして、監視オペレータの端末装置側の記憶装置に対して、担当者の識別コードと閲覧可能な範囲を対応させたデータと、閲覧目的と閲覧範囲を対応させた目的限定データとを記憶させておくことを特徴とする構成１乃至９のいずれかに記載の自動取引装置の管理システム。
＜構成１１＞
上記取引に使用されたカードの種別を判定する手段と、このカードを読み取ったイメージデータ中の、秘密にすべき部分をマスクして表示装置に表示する手段を備えたことを特徴とする構成１乃至１０のいずれかに記載の自動取引装置の管理システム。
【手続補正５】
【補正対象書類名】明細書
【補正対象項目名】００１３
【補正方法】変更
【補正の内容】
【００１３】
＜構成１２＞
コンピュータを、構成１乃至１１のいずれかに記載の手段として機能させるコンピュータプログラム。
＜構成１３＞
構成１２に記載のコンピュータプログラムを記録したコンピュータで読み取り可能な記録媒体。